(57)【特許請求の範囲】
【請求項１】
車両のフロア（１４）に沿ってスライド可能なシート（Ｓ）に設けた磁気センサ（２７）又は磁性体センサ（２７′）と、フロア（１４）に設けられて磁気を遮蔽する磁性体製の遮蔽体（２３，２３′）とを備え、
シート（Ｓ）のスライドに伴って前記遮蔽体（２３，２３′）が前記磁気センサ（２７）又は磁性体センサ（２７′）の検出部に沿うように位置したときに、該センサ（２７，２７′）が作動してシート（Ｓ）が所定の位置にあることを検出するスライド式シートの位置検出装置において、
前記磁気センサ（２７）又は磁性体センサ（２７′）が前記遮蔽体（２３，２３′）以外の遮蔽体によって作動するのを防止する誤検出防止手段を設け、
この誤検出防止手段は、前記遮蔽体（２３，２３′）に接続、固定されて磁気を透過する非磁性体製の物体（２４）であり、
該物体（２４）は、前記磁気センサ（２７）又は磁性体センサ（２７′）の移動経路に沿って短冊状に延びていて、シート（Ｓ）が前記所定の位置以外の位置にあるときに前記磁気センサ（２７）又は磁性体センサ（２７′）の検出部を覆うことを特徴とする、スライド式シートの位置検出装置。
【請求項２】
車両のフロア（１４）に沿ってスライド可能なシート（Ｓ）に設けた磁気センサ（２７）又は磁性体センサ（２７′）と、フロア（１４）に設けられて磁気を遮蔽する磁性体製の遮蔽体（２３，２３′）とを備え、
シート（Ｓ）のスライドに伴って前記遮蔽体（２３，２３′）が前記磁気センサ（２７）又は磁性体センサ（２７′）の検出部に沿うように位置したときに、該センサ（２７，２７′）が作動してシート（Ｓ）が所定の位置にあることを検出するスライド式シートの位置検出装置において、
前記磁気センサ（２７）又は磁性体センサ（２７′）が前記遮蔽体（２３，２３′）以外の遮蔽体によって作動するのを防止する誤検出防止手段を設け、
この誤検出防止手段は、前記遮蔽体（２３，２３′）以外の遮蔽体が前記センサ（２７，２７′）に接近するのを阻止するようフロア（１４）に設けられて磁気を透過する非磁性体製の阻止部材（３２）であり、
該阻止部材（３２）は、前記磁気センサ（２７）又は磁性体センサ（２７′）の移動経路に沿って棒状に延びていて、シート（Ｓ）が前記所定の位置以外の位置にあるときに前記磁気センサ（２７）又は磁性体センサ（２７′）の検出部と対向することを特徴とする、スライド式シートの位置検出装置。
【発明の詳細な説明】
【０００１】
【発明の属する技術分野】
本発明は、車両のフロアに沿ってスライド可能なシートに設けたセンサと、フロアに設けた磁気を遮蔽する遮蔽体とを備え、シートのスライドに伴って前記遮蔽体がセンサに沿うように位置したときに、シートが所定の位置にあることを検出するスライド式シートの位置検出装置に関する。
【０００２】
【従来の技術】
かかるスライド式シートの位置検出装置は、下記特許文献により公知である。このスライド式シートの位置検出装置は、シートの前後位置に応じてエアバッグ装置等の作動を制御するためのもので、シートに設けたセンサとフロアに設けた磁性体製のフランジとの相対的な位置関係に応じて、シートの位置を磁気的に検出するようになっている。
【０００３】
【特許文献】
米国特許第６０５３５２９号明細書
【０００４】
【発明が解決しようとする課題】
ところで、上記従来のものは、シートが前方に移動するとフランジがセンサに沿うように位置し、シートが後方に移動するとフランジがセンサから離れるように位置するため、シートが前方位置にあるときにセンサがむき出しになってしまい、そこに異物が挟まったり付着したりする場合があった。そして前記異物が磁性体である場合には、センサが異物をフランジと誤認してシートの位置を誤検出する可能性があった。
【０００５】
本発明は前述の事情に鑑みてなされたもので、スライド式シートの位置検出装置において、磁気を遮蔽する異物の接近によりセンサに誤検出が発生するのを未然に防止することを目的とする。
【０００６】
【課題を解決するための手段】
上記目的を達成するために、請求項１の発明は、車両のフロアに沿ってスライド可能なシートに設けた磁気センサ又は磁性体センサと、フロアに設けられて磁気を遮蔽する磁性体製の遮蔽体とを備え、シートのスライドに伴って前記遮蔽体が前記磁気センサ又は磁性体センサの検出部に沿うように位置したときに、該センサが作動してシートが所定の位置にあることを検出するスライド式シートの位置検出装置において、前記磁気センサ又は磁性体センサが前記遮蔽体以外の遮蔽体によって作動するのを防止する誤検出防止手段を設け、この誤検出防止手段は、前記遮蔽体に接続、固定されて磁気を透過する非磁性体製の物体であり、該物体は、前記磁気センサ又は磁性体センサの移動経路に沿って短冊状に延びていて、シートが前記所定の位置以外の位置にあるときに前記磁気センサ又は磁性体センサの検出部を覆うことを特徴とする。
【０００７】
また請求項２の発明は、車両のフロアに沿ってスライド可能なシートに設けた磁気センサ又は磁性体センサと、フロアに設けられて磁気を遮蔽する磁性体製の遮蔽体とを備え、シートのスライドに伴って前記遮蔽体が前記磁気センサ又は磁性体センサの検出部に沿うように位置したときに、該センサが作動してシートが所定の位置にあることを検出するスライド式シートの位置検出装置において、前記磁気センサ又は磁性体センサが前記遮蔽体以外の遮蔽体によって作動するのを防止する誤検出防止手段を設け、この誤検出防止手段は、前記遮蔽体以外の遮蔽体が前記センサに接近するのを阻止するようフロアに設けられて磁気を透過する非磁性体製の阻止部材であり、該阻止部材は、前記磁気センサ又は磁性体センサの移動経路に沿って棒状に延びていて、シートが前記所定の位置以外の位置にあるときに前記磁気センサ又は磁性体センサの検出部と対向することを特徴とする。
【０００８】
各請求項の上記構成によれば、シートが所定の位置にあることをフロアに設けた磁気を遮蔽する遮蔽体への接近により検出する磁気センサ又は磁性体センサが前記遮蔽体以外の遮蔽体によって作動しないように誤検出防止手段を設けたので、シートの位置の誤検出を確実に防止することができる。
【０００９】
また特に請求項１の上記構成によれば、シートが検出すべき所定位置にあるときには、フロアに設けた前記遮蔽体が磁気センサ又は磁性体センサの検出部に沿う位置にあり、またシートが検出すべき所定位置以外の位置にあるときには、遮蔽体に接続、固定された非磁性体製の短冊状物体が磁気センサ又は磁性体センサの検出部に沿う位置にあるため、センサの検出部は常に前記遮蔽体あるいは前記磁気を透過する物体の何れかによって覆われることになり、センサに磁気を透過する異物が接近して誤検出が発生するのを未然に防止することができる。
【００１０】
また特に請求項２の上記構成によれば、シートが検出すべき所定位置以外の位置にあるときには、フロアに設けた非磁性体製の棒状阻止部材により、センサの検出部に磁気を透過する異物が接近するのを阻止して、誤検出が発生するのを未然に防止できる。
【００１１】
尚、実施例の遮蔽部材２３および被検出部材２３′は本発明の遮蔽体に対応し、実施例のカバー部材２４は本発明の磁気を透過する物体に対応する。
【００１２】
【発明の実施の形態】
以下、本発明の実施の形態を、添付図面に示した本発明の実施例に基づいて説明する。  図１〜図５は本発明の第１実施例を示すもので、図１は自動車の車室前部の斜視図、図２は図１の２部拡大図、図３は図２の３部拡大図、図４は図２の４−４線断面図、図５は図２の５−５線断面図である。
【００１３】
図１および図２に示すように、自動車の助手席のシートＳはシートクッション１１、シートバック１２およびヘッドレスト１３を備える。フロア１４にリベット１５…で固定した左右一対のベース部材１６，１６の上面に左右一対のシートレール１７，１７が溶接されており、これらのシートレール１７，１７に、シートクッション１１の左右両側面に固定した一対のシートフレーム１８，１８が前後摺動自在に支持される。左側のベース部材１６、シートレール１７およびシートフレーム１８は、右側のベース部材１６、シートレール１７およびシートフレーム１８と実質的に左右対称な構造を有しており、図２には右側のベース部材１６、シートレール１７およびシートフレーム１８が示される。
【００１４】
図３〜図５を併せて参照すると明らかなように、シートレール１７は上面が開口したＣ字状断面の部材から構成される。板状のシートフレーム１８の下縁にリベット１９…で支持板２０が固定されており、シートフレーム１８と支持板２０との間に挟まれてリベット２１…で固定されたスライダ２２が、シートレール１７の内部に摺動自在に嵌合する。シートレール１７の前端下面とベース部材１６の前端上面との間に磁性体（例えば、鉄）よりなる遮蔽部材２３が溶接されており、この遮蔽部材２３はＵ字状に屈曲した先端に鉛直方向に延びる遮蔽部２３ａを備える。遮蔽部材２３の遮蔽部２３ａに、非磁性体（例えば、合成樹脂）よりなる短冊状のカバー部材２４の前端がボルト２５，２５で固定される。カバー部材２４はベース部材１６の側壁に沿って前後方向に延びている。
【００１５】
尚、遮蔽部材２３はフロア１４にベース部材１６を介して支持されているが、それをフロア１４に直接支持しても良い。つまり、遮蔽部材２３は固定部であるフロア１４に直接的あるいは間接的に支持することができる。
【００１６】
シートフレーム１８の前後方向中間部にステー２６が前記リベット１９，１９で固定されており、その先端のセンサ支持部２６ａに磁気センサ２７がボルト２８およびナット２９で固定される。このとき、磁気センサ２７に突設した位置決め突起２７ａがセンサ支持部２６ａに形成した位置決め孔２６ｂに係合することにより、磁気センサ２７が回り止めされる。合成樹脂のような非磁性体で構成された磁気センサ２７の本体部２７ｂは、下面が開放したＵ字状断面を有しており、その溝部２７ｃを挟んだ一側に永久磁石３０が固定され、他側にホールＩＣよりなる磁気検出部３１が固定される。
【００１７】
しかして、シートフレーム１８，１８に固定したスライダ２２，２２をフロア１４に固定したシートレール１７，１７に案内されてシートＳが前後にスライドするとき、シートＳが前端位置に達すると遮蔽部材２３の遮蔽部２３ａが磁気センサ２７の本体部２７ｂの溝部２７ｃに入り込み、永久磁石３０と磁気検出部３１との間を遮るため、永久磁石３０から出た磁力線が磁気検出部３１に達しなくなることで、シートＳが前端位置にあることが検出される（図５参照）。
【００１８】
シートＳが前端位置から後方にスライドすると、遮蔽部２３ａが磁気センサ２７の本体部２７ｂの溝部２７ｃから離脱するため、永久磁石３０から出た磁力線が磁気検出部３１に達することで、シートＳが前端位置にないことが検出される（図４参照）。このとき、遮蔽部２３ａの代わりにカバー部材２４が溝部２７ｃに入り込んで永久磁石３０と磁気検出部３１との間を遮るが、非磁性体の合成樹脂で構成されたカバー部材２４は磁力線を透過させるため、磁気センサ２７の検出性能が影響を受けることはない。
【００１９】
シートＳが前端位置にない場合でも、磁気センサ２７の永久磁石３０と磁気検出部３１との間に磁性体の異物が挟まったり付着したりすると、その異物を磁性体の遮蔽部２３ａと誤認してシートＳが前端位置にあると誤検出される可能性がある。しかしながら、本実施例によれば、シートＳがスライド範囲の何れの位置にある場合でも、遮蔽部２３ａあるいはカバー部材２４の少なくとも一方が磁気センサ２７の本体部２７ｂの溝部２７ｃに存在して、磁気検出部３１を覆うため、その遮蔽部２３ａあるいはカバー部材２４によって磁性体の異物が溝部２７ｃに挟まったり付着したりするのを防止し、誤検出の発生を未然に回避できる。
【００２０】
次に、図６に基づいて本発明の第２実施例を説明する。
【００２１】
第１実施例の磁気センサ２７は永久磁石３０から出る磁力線を磁気検出部３１で検出するものであるが、第２実施例は前記磁気センサ２７の代わりに磁性体の近接を検出する磁性体センサ２７′を備えるとともに、被検出部材２３′およびカバー部材２４を備える。被検出部材２３′およびカバー部材２４は第１実施例の遮蔽部材２３およびカバー部材２４と同一の部材である。
【００２２】
シートＳが前端位置に達すると、磁気を遮蔽する遮蔽体である磁性体（例えば、鉄）製の被検出部材２３′の先端の被検出部２３ａ′が磁性体センサ２７′の検出部に沿うように位置することで、シートＳが前端位置にあることが検出される。シートＳが前端位置以外の位置にあるとき、カバー部材２４が磁性体センサ２７′の検出部に沿うように位置するが、カバー部材２４は非磁性体（例えば、合成樹脂）製であるために磁性体センサ２７′によって検出されることはない。
【００２３】
そして、シートＳがスライド範囲の何れの位置にある場合でも、被検出部２３ａ′あるいはカバー部材２４の少なくとも一方が磁性体センサ２７′の検出部に沿うように位置するため、その被検出部２３ａ′あるいはカバー部材２４によって磁性体の異物が磁性体センサ２７′に付着するのを防止し、誤検出の発生を未然に回避することができる。
【００２４】
次に、図７に基づいて本発明の第３実施例を説明する。
【００２５】
第１実施例では遮蔽部材２３の遮蔽部２３ａに固定した短冊状のカバー部材２４で磁気センサ２７を覆って誤検出を防止しているが、第３実施例はベース部材１６に設けた一対の支持部１６ａ，１６ａに非磁性体よりなる棒状の阻止部材３２を固定したものである。阻止部材３２は磁気センサ２７の検出部に対向してその移動経路の下方に沿って延びており、例えばフロア１４に転がった飲料水の空き缶等の磁性体が磁気センサ２７に接近するのを阻止することで、その磁気センサ２７の誤検出を防止するようになっている。
【００２６】
尚、阻止部材３２はフロア１４にベース部材１６を介して支持されているが、それをフロア１４に直接支持しても良い。つまり、阻止部材３２は固定部であるフロア１４に直接的あるいは間接的に支持することができる。
【００２７】
次に、図８に基づいて第１参考例を説明する。
【００２８】
第１参考例は前記第３実施例の変形であって、第３実施例では棒状の阻止部材３２を用いているのに対し、第１参考例の阻止部材３３は底面が開放した箱状の部材であって、底面の開口部をベース部材１６の上面に重ね合わせた状態で複数本のボルト３４…で固定される。阻止部材３３は磁気センサ２７の移動経路の全域と遮蔽部材２３とを覆っており、遮蔽部材２３は阻止部材３３の側面に形成した開口３３ａを通して該阻止部材３３の内部に挿入され、また磁気センサ２７のステー２６は阻止部材３３の上面に形成したスリット３３ｂを通して移動可能である。
【００２９】
その結果、遮蔽部材２３以外の如何なる磁性体も阻止部材３３により阻止されて磁気センサ２７に接近することができず、磁気センサ２７の誤検出を確実に防止することができる。
【００３０】
尚、阻止部材３３はフロア１４にベース部材１６を介して支持されているが、それをフロア１４に直接支持しても良い。つまり、阻止部材３３は固定部であるフロア１４に直接的あるいは間接的に支持することができる。
【００３１】
次に、図９に基づいて第２参考例を説明する。
【００３２】
前記第１実施例〜前記第３実施例及び第１参考例ではカバー部材２４あるいは阻止部材３２，３３が移動不能に固定されているが、第２参考例ではセンサ２７を支持する合成樹脂製のステー２６が上壁２６ｃ、側壁２６ｄおよび後壁２６ｅを備えており、これらの上壁２６ｃ、側壁２６ｄおよび後壁２６ｅによって遮蔽部材２３以外の磁性体がセンサ２７に接近するのを阻止して誤検出を防止することができる。例えば、後席に座った乗員が持つ傘の先端が後方から前席側に延びても、後壁２６ｄによって傘の先端がセンサ２７に接近するのを阻止することができる。尚、ステー２６の上壁２６ｃは第１実施例〜第３実施例及び第１参考例のセンサ支持部２６ａの機能も兼ね備えている。
【００３３】
この第２参考例によれば、本発明の阻止部材を構成する上壁２６ｃ、側壁２６ｄおよび後壁２６ｅがセンサ２７と共に前後方向に移動するので、その寸法をセンサ２７を覆うだけの最小限の寸法にして小型化を図ることができる。
【００３４】
以上、本発明の実施例及び参考例を詳述したが、本発明はその要旨を逸脱しない範囲で種々の設計変更を行うことが可能である。
【００３５】
例えば、実施例では遮蔽部材２３および被検出部材２３′を鉄製としているが、磁気を遮蔽する磁性体であれば任意の材質を採用することができる。
【００３６】
また実施例ではシートＳの前端位置を検出しているが、後端位置や中間位置を検出することも可能である。
【００３７】
また第３実施例において、第２実施例と同様に前記磁気センサ２７の代わりに磁性体の近接を検出する磁性体センサ２７′を用い、遮蔽部材２３の代わりに被検出部材２３′を用いても良い。
【００３８】
【発明の効果】
以上のように各請求項の発明によれば、シートが所定の位置にあることをフロアに設けた磁気を遮蔽する遮蔽体への接近により検出する磁気センサ又は磁性体センサが前記遮蔽体以外の遮蔽体によって作動しないように誤検出防止手段を設けたので、シートの位置の誤検出を確実に防止することができる。
【００３９】
また特に請求項１の発明によれば、シートが検出すべき所定位置にあるときには、フロアに設けた前記遮蔽体が磁気センサ又は磁性体センサの検出部に沿う位置にあり、またシートが検出すべき所定位置以外の位置にあるときには、遮蔽体に接続、固定された非磁性体製の短冊状の物体が磁気センサ又は磁性体センサの検出部に沿う位置にあるため、センサの検出部は常に前記遮蔽体あるいは前記磁気を透過する物体の何れかによって覆われることになり、センサに磁気を透過する異物が接近して誤検出が発生するのを未然に防止することができる。
【００４０】
また特に請求項２の発明によれば、シートが検出すべき所定位置以外の位置にあるときには、フロアに設けた非磁性体製の棒状阻止部材により、センサの検出部に磁気を透過する異物が接近するのを阻止して、誤検出が発生するのを未然に防止することができる。
【図面の簡単な説明】
【図１】  自動車の車室前部の斜視図
【図２】  図１の２部拡大図
【図３】  図２の３部拡大図
【図４】  図２の４−４線断面図
【図５】  図２の５−５線断面図
【図６】  本発明の第２実施例に係る、前記図４に対応する図
【図７】  本発明の第３実施例に係る、前記図２に対応する図
【図８】  第１参考例に係る、前記図２に対応する図
【図９】  第２参考例に係る、前記図２に対応する図
【符号の説明】
１４        フロア
２３        遮蔽部材（遮蔽体）
２３′      被検出部材（遮蔽体）
２４        カバー部材（磁気を透過する物体、誤検出防止手段）
２７        磁気センサ
２７′      磁性体センサ
３１ 検出部
３２        阻止部材（誤検出防止手段）
Ｓ          シート
【図１】
0003689402.tif 000002
【図２】
0003689402.tif 000003
【図３】
0003689402.tif 000004
【図４】
0003689402.tif 000005
【図５】
0003689402.tif 000006
【図６】
0003689402.tif 000007
【図７】
0003689402.tif 000008
【図８】
0003689402.tif 000009
【図９】
0003689402.tif 000010